(57)【要約】【課題】ユーザからの要求に応じて施設の検索を行う際に、そのユーザが車を駐車場に駐車している点を考慮することでユーザの利便性を向上させる。【解決手段】施設に関する情報が格納されたＤＢ２２を有するサーバ２１を、ユーザに係る車３が現在駐車されている駐車場の情報を記憶する記憶手段６１と、携帯端末４から送信された検索条件に基づいて、ＤＢ２２の検索を行う検索手段６２と、検索結果を携帯端末４に送信する結果送信手段６３とを備えるものとする。検索手段６２は、ユーザに係る車３が現在駐車されている駐車場と提携関係にある施設を検索対象とした検索を行うようにする。【選択図】　　　　　図１
2004015369.tif 000002
【特許請求の範囲】
【請求項１】
ユーザが携帯する携帯端末に対し双方向通信可能な通信回線を介して接続されかつ、上記ユーザに提供するための施設に関する情報が格納されたデータベースを有する情報処理装置であって、
上記ユーザに係る車が現在駐車されている駐車場の情報を記憶する記憶手段と、
上記携帯端末から上記通信回線を介して送信された検索条件に基づいて、上記データベースの検索を行う検索手段と、
上記検索手段による検索結果を、上記通信回線を介して携帯端末に送信する結果送信手段とを備え、
上記検索手段は、上記記憶手段に記憶されている情報に基づいて、上記ユーザに係る車が現在駐車されている駐車場と提携関係にある施設を検索対象とした上記データベースの検索を行うように構成されている
ことを特徴とする情報処理装置。
【請求項２】
ユーザが携帯する携帯端末に対し双方向通信可能な通信回線を介して接続されかつ、上記ユーザに提供するための施設に関する情報が格納されたデータベースを有する情報処理装置であって、
上記ユーザに係る車が現在駐車されている駐車場の情報を記憶する記憶手段と、
上記携帯端末から上記通信回線を介して送信された検索条件に基づいて、上記データベースの検索を行う検索手段と、
上記検索手段による検索結果を、上記通信回線を介して携帯端末に送信する結果送信手段とを備え、
上記結果送信手段は、上記記憶手段に記憶されている情報に基づいて、上記検索結果に含まれる各施設と、上記ユーザに係る車が現在駐車されている駐車場との提携関係についての情報を、上記検索結果と共に上記携帯端末に送信するように構成されている
ことを特徴とする情報処理装置。
【請求項３】
ユーザが携帯する携帯端末に対し双方向通信可能な通信回線を介して接続されかつ、上記ユーザに提供するための施設に関する情報が格納されたデータベースを有する情報処理装置であって、
上記ユーザに係る車が現在駐車されている駐車場の情報を記憶する記憶手段と、
上記携帯端末から上記通信回線を介して送信された検索条件に基づいて、上記データベースの検索を行う検索手段と、
上記検索手段による検索結果を、上記通信回線を介して携帯端末に送信する結果送信手段とを備え、
上記結果送信手段は、上記検索結果に含まれる施設を所定の並び順に設定すると共に、上記記憶手段に記憶されている情報に基づいて、上記検索結果に含まれる施設の内で、上記ユーザに係る車が現在駐車されている駐車場と提携関係にある施設の並び位置を上位に設定して上記携帯端末に送信するように構成されている
ことを特徴とする情報処理装置。
【請求項４】
ユーザが携帯する携帯端末に対し双方向通信可能な通信回線を介して接続されかつ、上記ユーザに提供するための施設に関する情報が格納されたデータベースを有する情報処理装置であって、
上記ユーザに係る車が現在駐車されている駐車場の情報を記憶する記憶手段と、
上記携帯端末から上記通信回線を介して送信された検索条件に基づいて、上記データベースの検索を行う検索手段と、
上記検索手段による検索結果を、上記通信回線を介して携帯端末に送信する結果送信手段とを備え、
上記検索手段は、上記記憶手段に記憶されている情報に基づいて、上記ユーザに係る車が現在駐車されている駐車場から所定距離以上離れている施設を検索対象から除外して上記データベースの検索を行うように構成されている
ことを特徴とする情報処理装置。
【請求項５】
請求項１〜請求項４のいずれかにおいて、
ユーザに係る車に搭載されると共に、設定された目的地までの経路誘導を行うように構成された車載端末が、双方向通信可能な通信回線を介して接続され、
記憶手段は、上記車が現在駐車されている駐車場を、上記車載端末から通信回線を介して送信された、該車載端末において設定されている目的地情報又は該車載端末における経路誘導の履歴情報に基づき特定しかつ、これを記憶するように構成されている
ことを特徴とする情報処理装置。
【請求項６】
ユーザが携帯する携帯端末に対し双方向通信可能な通信回線を介して接続されかつ、上記ユーザに提供するための施設に関する情報が格納されたデータベースを有する情報処理装置を制御するための情報処理プログラムであって、
上記情報処理装置に、
上記ユーザに係る車が現在駐車されている駐車場の情報を記憶する記憶処理と、
上記携帯端末から上記通信回線を介して送信された検索条件に基づいて、上記データベースの検索を行う検索処理と、
上記検索処理による検索結果を、上記通信回線を介して携帯端末に送信する結果送信処理とを実行させると共に、
上記検索処理として、上記記憶処理によって記憶されている情報に基づいて、上記ユーザに係る車が現在駐車されている駐車場と提携関係にある施設を検索対象とした上記データベースの検索を行わせる
ことを特徴とする情報処理プログラム。
【請求項７】
ユーザが携帯する携帯端末に対し双方向通信可能な通信回線を介して接続されかつ、上記ユーザに提供するための施設に関する情報が格納されたデータベースを有する情報処理装置を制御するための情報処理プログラムであって、
上記情報処理装置に、
上記ユーザに係る車が現在駐車されている駐車場の情報を記憶する記憶処理と、
上記携帯端末から上記通信回線を介して送信された検索条件に基づいて、上記データベースの検索を行う検索処理と、
上記検索処理による検索結果を、上記通信回線を介して携帯端末に送信する結果送信処理とを実行させると共に、
上記結果送信処理として、上記記憶処理によって記憶されている情報に基づいて、上記検索結果に含まれる各施設と、上記ユーザに係る車が現在駐車されている駐車場との提携関係についての情報を、上記検索結果と共に上記携帯端末に送信する処理を実行させる
ことを特徴とする情報処理プログラム。
【請求項８】
ユーザが携帯する携帯端末に対し双方向通信可能な通信回線を介して接続されかつ、上記ユーザに提供するための施設に関する情報が格納されたデータベースを有する情報処理装置を制御するための情報処理プログラムであって、
上記情報処理装置に、
上記ユーザに係る車が現在駐車されている駐車場の情報を記憶する記憶処理と、
上記携帯端末から上記通信回線を介して送信された検索条件に基づいて、上記データベースの検索を行う検索処理と、
上記検索処理による検索結果を、上記通信回線を介して携帯端末に送信する結果送信処理とを実行させると共に、
上記結果送信処理として、上記検索結果に含まれる施設を所定の並び順に設定すると共に、上記記憶処理によって記憶されている情報に基づいて、上記検索結果に含まれる施設の内で、上記ユーザに係る車が現在駐車されている駐車場と提携関係にある施設の並び位置を上位に設定して上記携帯端末に送信する処理を実行させる
ことを特徴とする情報処理プログラム。
【請求項９】
ユーザが携帯する携帯端末に対し双方向通信可能な通信回線を介して接続されかつ、上記ユーザに提供するための施設に関する情報が格納されたデータベースを有する情報処理装置を制御するための情報処理プログラムであって、
上記情報処理装置に、
上記ユーザに係る車が現在駐車されている駐車場の情報を記憶する記憶処理と、
上記携帯端末から上記通信回線を介して送信された検索条件に基づいて、上記データベースの検索を行う検索処理と、
上記検索処理による検索結果を、上記通信回線を介して携帯端末に送信する結果送信処理とを実行させると共に、
上記検索処理として、上記記憶処理によって記憶されている情報に基づいて、上記ユーザに係る車が現在駐車されている駐車場から所定距離以上離れている施設を検索対象から除外して上記データベースの検索を行わせる
ことを特徴とする情報処理プログラム。
【請求項１０】
双方向通信可能に接続された、携帯端末と、該携帯端末を携帯するユーザに提供するための施設に関する情報が格納されたデータベースを有する情報処理装置とを用いた情報処理方法であって、
上記情報処理装置において、上記ユーザに係る車が現在駐車されている駐車場の情報を記憶する記憶ステップと、
上記携帯端末から情報処理装置に送信された検索条件に基づいて、該情報処理装置が上記データベースの検索を行う検索ステップと、
上記検索ステップにおける検索結果を、上記情報処理装置から携帯端末に送信する結果送信ステップとを有し、
上記検索ステップは、上記記憶ステップにおいて記憶されている情報に基づいて、上記ユーザに係る車が現在駐車されている駐車場と提携関係にある施設を検索対象とした上記データベースの検索を行うステップである
ことを特徴とする情報処理方法。
【請求項１１】
双方向通信可能に接続された、携帯端末と、該携帯端末を携帯するユーザに提供するための施設に関する情報が格納されたデータベースを有する情報処理装置とを用いた情報処理方法であって、
上記情報処理装置において、上記ユーザに係る車が現在駐車されている駐車場の情報を記憶する記憶ステップと、
上記携帯端末から情報処理装置に送信された検索条件に基づいて、該情報処理装置が上記データベースの検索を行う検索ステップと、
上記検索ステップにおける検索結果を、上記情報処理装置から携帯端末に送信する結果送信ステップとを有し、
上記結果送信ステップは、上記記憶ステップにおいて記憶されている情報に基づいて、上記検索結果に含まれる各施設と、上記ユーザに係る車が現在駐車されている駐車場との提携関係についての情報を、上記検索結果と共に上記携帯端末に送信するステップである
ことを特徴とする情報処理方法。
【請求項１２】
双方向通信可能に接続された、携帯端末と、該携帯端末を携帯するユーザに提供するための施設に関する情報が格納されたデータベースを有する情報処理装置とを用いた情報処理方法であって、
上記情報処理装置において、上記ユーザに係る車が現在駐車されている駐車場の情報を記憶する記憶ステップと、
上記携帯端末から情報処理装置に送信された検索条件に基づいて、該情報処理装置が上記データベースの検索を行う検索ステップと、
上記検索ステップにおける検索結果を、上記情報処理装置から携帯端末に送信する結果送信ステップとを有し、
上記結果送信ステップは、上記検索結果に含まれる施設を所定の並び順に設定すると共に、上記記憶ステップにおいて記憶されている情報に基づいて、上記検索結果に含まれる施設の内で、上記ユーザに係る車が現在駐車されている駐車場と提携関係にある施設の並び位置を上位に設定して上記携帯端末に送信するステップである
ことを特徴とする情報処理方法。
【請求項１３】
双方向通信可能に接続された、携帯端末と、該携帯端末を携帯するユーザに提供するための施設に関する情報が格納されたデータベースを有する情報処理装置とを用いた情報処理方法であって、
上記情報処理装置において、上記ユーザに係る車が現在駐車されている駐車場の情報を記憶する記憶ステップと、
上記携帯端末から情報処理装置に送信された検索条件に基づいて、該情報処理装置が上記データベースの検索を行う検索ステップと、
上記検索ステップにおける検索結果を、上記情報処理装置から携帯端末に送信する結果送信ステップとを有し、
上記検索ステップは、上記記憶ステップにおいて記憶されている情報に基づいて、上記ユーザに係る車が現在駐車されている駐車場から所定距離以上離れている施設を検索対象から除外して上記データベースの検索を行うステップである
ことを特徴とする情報処理方法。
【発明の詳細な説明】
【０００１】
【発明の属する技術分野】
本発明は、ユーザが携帯する携帯端末に対し双方向通信可能な通信回線を介して接続されると共に、ユーザに提供するための施設に関する情報が格納されたデータベースを有する情報処理装置、該情報処理装置を制御するための情報処理プログラム、並びに、上記携帯端末及び情報処理装置を用いた情報処理方法に関する。
【０００２】
【従来の技術】
従来より、例えば特開平１１−１４３３５８号公報には、車に搭載された車載機からの要求に応じて、情報センタが車載機に情報を提供するシステムが開示されている。また、特開２０００−３３７９１７号公報には、車載機が、ユーザが携帯する携帯端末に情報を提供するシステムが開示されている。
【０００３】
さらに、特開平７−５７１８８号公報には、ユーザが目的地を設定したときには、その目的地周辺の駐車場の検索を行い、その検索結果である駐車場の情報をユーザに提供する車載機が記載されている。
【０００４】
【発明が解決しようとする課題】
ところで、上記従来のものでは、先ず目的地が決定されていて、その目的地に適した駐車場を検索して、これをユーザに提供するようにしている。
【０００５】
一方、これとは逆に、ある駐車場に車を駐車した後に、例えば買い物に行くために、ユーザが所望の施設（お店等）の検索を要求する場合も考えられる。
【０００６】
このとき、例えば、駐車場とお店とが提携していてそのお店で買い物をすればその駐車場の利用料が無料になる、等という特典が得られる場合もある。このため、ユーザには、現在利用している駐車場と提携している施設を利用したいという要求がある。そこで、駐車場に車を駐車している状態でユーザからの施設の検索要求があったときには、上記車を駐車している駐車場と提携している施設を考慮した検索を行ったり、その駐車場との提携関係の情報を積極的にユーザに提供したりすることで、ユーザの要求を満足させることができると共に、ユーザの利便性が向上するものと考えられる。
【０００７】
また、従来から、施設検索の一形態として、ユーザの現在地を中心とした所定範囲内に位置する施設の検索を行うことが知られている。
【０００８】
ところが、駐車場に車を駐車している状態で、ユーザの現在地周辺の施設の検索を実行すると、ユーザの現在地からは所定の範囲内であっても、車を駐車している駐車場からは遠く離れている施設が検索されてしまう場合がある。この場合、ユーザは、その検索した施設まで徒歩で移動した後に、その施設から遠く離れた駐車場まで、駐車している車を取りに再び徒歩で移動しなければならない。そこで、駐車場に車を駐車している状態でユーザからの施設の検索要求があったときには、上記車を駐車している駐車場の位置を考慮した検索を行うことで、ユーザの利便性が向上するものと考えられる。
【０００９】
つまり、上述したいずれの場合においても、ユーザが駐車場に車を駐車しているときには、そのことを考慮した施設の検索を行うことが、ユーザの利便性の向上に繋がると考えられる。
【００１０】
本発明は、このような事情に鑑みてなされたものであり、その目的とするところは、ユーザからの要求に応じて施設の検索を行う際に、そのユーザが車を駐車場に駐車している点を考慮することでユーザの利便性を向上させることにある。
【００１１】
【課題を解決するための手段】
上記目的を達成するために、第１の発明は、ユーザが携帯する携帯端末に対し双方向通信可能な通信回線を介して接続されかつ、上記ユーザに提供するための施設に関する情報が格納されたデータベースを有する情報処理装置に係る。
【００１２】
そして、第１の発明に係る情報処理装置は、上記ユーザに係る車が現在駐車されている駐車場の情報を記憶する記憶手段と、上記携帯端末から上記通信回線を介して送信された検索条件に基づいて、上記データベースの検索を行う検索手段と、上記検索手段による検索結果を、上記通信回線を介して携帯端末に送信する結果送信手段とを備えるようにし、上記検索手段を、上記記憶手段に記憶されている情報に基づいて、上記ユーザに係る車が現在駐車されている駐車場と提携関係にある施設を検索対象とした上記データベースの検索を行うように構成するものとする。
【００１３】
ここで、上記データベースに格納されている施設に関する情報には、具体的には、その施設の種別（例えばレストラン、美術館等という種別）情報、その施設の位置情報、及びその施設と提携関係にある駐車場の情報等が含まれる。
【００１４】
そして、上記の構成によると、先ず、ユーザが車を駐車場に駐車したときには、記憶手段によりその駐車場の情報が記憶される。
【００１５】
次いで、携帯端末から検索条件が送信されたときには、その検索条件に基づいて、検索手段がデータベースの検索を行う。このとき、検索手段は、記憶手段に記憶されている情報に基づいて、データベースに格納されている施設の内で、ユーザが車を駐車している駐車場と提携関係にある施設を検索対象に設定し、この駐車場と提携関係にある施設の中から上記検索条件に合致する施設を探し出す。
【００１６】
こうして検索手段が検索を行えば、その検索結果は、結果送信手段によって携帯端末に送信される。これにより、検索結果を受信した携帯端末においては、ユーザの操作に応じて、その検索結果に係る施設の中から所望の施設を選択して、その施設の所在地を示す地図を表示したり、その施設に到達するまでの経路を表示したりすることが可能になる。
【００１７】
このように、携帯端末から送信された検索条件に基づいて施設の検索を行うときに、ユーザに係る車が現在駐車されている駐車場と提携関係にある施設を検索対象として検索を行うことにより、その検索結果に含まれる施設は全て、ユーザが車を駐車している駐車場と提携関係にある施設（提携施設）となる。こうして、車を駐車している駐車場を考慮して施設の検索を行い、ユーザが利用したいと考える施設の情報をユーザに提供することにより、ユーザの要求が満たされると共に、ユーザの利便性が向上する。
【００１８】
第２の発明に係る情報処理装置は、上記記憶手段と、上記検索手段と、上記結果送信手段とを備えるようにし、上記結果送信手段を、上記記憶手段に記憶されている情報に基づいて、上記検索手段による検索結果に含まれる各施設と、上記ユーザに係る車が現在駐車されている駐車場との提携関係についての情報を、上記検索結果と共に上記携帯端末に送信するように構成するものとする。
【００１９】
この構成によると、携帯端末から検索条件が送信されたときには、その検索条件に基づいて検索手段が施設の検索を行い、結果送信手段がその検索結果を携帯端末に送信する。
【００２０】
ここで、上記結果送信手段は、検索結果と共に、記憶手段において記憶されている情報に基づいて、その検索結果に係る各施設と、上記ユーザに係る車が現在駐車されている駐車場との提携関係についての情報を、携帯端末に送信する。これにより、検索結果及び提携関係についての情報を携帯端末において受信したときには、ユーザは、検索条件に含まれる施設の内、どの施設が、現在車を駐車している駐車場と提携している施設であるかを認識することが可能になる。
【００２１】
こうしてユーザは、提携関係についての情報を基に、所望の施設を携帯端末の操作によって選択して、その施設の所在地を示す地図を表示したり、その施設に到達するまでの経路を表示したりすることが可能になる。
【００２２】
このように、ユーザが要求している提携施設についての情報を、ユーザに提供することにより、ユーザの要求が満たされると共に、ユーザの利便性が向上する。
【００２３】
第３の発明に係る情報処理装置は、上記記憶手段と、上記検索手段と、上記結果送信手段とを備えるものとし、上記結果送信手段を、上記検索手段による検索結果に含まれる施設を所定の並び順に設定すると共に、上記記憶手段に記憶されている情報に基づいて、上記検索結果に含まれる施設の内で、上記ユーザに係る車が現在駐車されている駐車場と提携関係にある施設の並び位置を上位に設定して上記携帯端末に送信するように構成するものとする。
【００２４】
この構成によると、携帯端末から検索条件が送信されたときには、その検索条件に基づいて検索手段が施設の検索を行い、結果送信手段がその検索結果を携帯端末に送信する。
【００２５】
このとき、上記結果送信手段は、検索結果に含まれる施設を所定の並び順に設定するようにし、さらに、記憶手段に記憶されている情報に基づいて、上記検索結果に含まれる施設の内で、上記ユーザに係る車が現在駐車されている駐車場と提携関係にある施設の並び位置を上位に設定する。こうして、提携施設の並び位置を上位に設定することにより、検索結果の提供を受けたユーザは、提携施設のことを認識し易くなる。つまり、ユーザが要求している提携施設についての情報を、ユーザに的確に伝えることが可能になる。
【００２６】
そして、ユーザは、所定の並び順とされた検索結果の中から、所望の施設を携帯端末の操作によって選択して、その施設の所在地を示す地図を表示したり、その施設に到達するまでの経路を表示したりすることが可能になる。
【００２７】
このように、ユーザが要求している提携施設の情報を優先して、ユーザが認識し易く提供することにより、ユーザの要求が満たされると共に、ユーザの利便性が向上する。
【００２８】
第４の発明に係る情報処理装置は、上記記憶手段と、上記検索手段と、上記結果送信手段とを備えるものとし、上記検索手段を、上記記憶手段に記憶されている情報に基づいて、上記ユーザに係る車が現在駐車されている駐車場から所定距離以上離れている施設を検索対象から除外して上記データベースの検索を行うように構成するものとする。
【００２９】
この構成によると、携帯端末から検索条件が送信されたときには、その検索条件に基づいて、検索手段がデータベースの検索を行う。このとき、検索手段は、記憶手段に記憶されている情報に基づいて、ユーザに係る車が現在駐車されている駐車場から所定距離以上離れている施設は検索対象から除外してデータベースの検索を行う。
【００３０】
上記検索手段による検索結果は、結果送信手段によって携帯端末に送信される。これにより、検索結果を受信した携帯端末においては、ユーザの操作に応じて、その検索結果に係る施設の中から所望の施設を選択して、その施設の所在地を示す地図を表示したり、その施設に到達するまでの経路を表示したりすることが可能になる。
【００３１】
このように、携帯端末から送信された検索条件に基づいて施設の検索を行うときに、ユーザに係る車が現在駐車されている駐車場から所定距離以上離れている施設は検索対象から除外することにより、その検索結果に含まれる施設と駐車場との間の距離は、上記所定距離よりも短くなる。ここで、所定距離は、徒歩により移動可能な程度の距離に設定すればよく、具体的には数ｋｍ（１〜３ｋｍ）程度とすればよい。
【００３２】
すなわち、車を駐車場に駐車しているときには、そのユーザは徒歩での移動を行うこととなる。また、そのユーザは、いずれは駐車場に駐車している車を取りに戻らねばならない。そこで、ユーザからの要求に応じて施設の検索を行うときに、駐車場から所定距離以上離れている施設は検索対象から外すことにより、駐車場まで徒歩で移動することができないような施設が検索されることを未然に防止することができる。その結果、ユーザの利便性が向上する。
【００３３】
ここで、上記第１〜第４の発明においては、ユーザに係る車に搭載されると共に、設定された目的地までの経路誘導を行うように構成された車載端末を、双方向通信可能な通信回線を介して上記情報処理装置に接続すると共に、上記記憶手段を、上記車が現在駐車されている駐車場を、上記車載端末から通信回線を介して送信された、該車載端末において設定されている目的地情報又は該車載端末における経路誘導の履歴情報に基づき特定しかつ、これを記憶するように構成してもよい。
【００３４】
すなわち、上記車載端末において、ある駐車場が目的地に設定されているときには、その車載端末を搭載する車が現在駐車されている駐車場は、その目的地情報に係る駐車場であると特定可能になる。また、車載端末による経路誘導の履歴情報に基づけば、その車が最終的に到達した地点が特定可能であることから、その最終到達地点に基づいて、車が現在駐車されている駐車場が具体的に特定可能になる。
【００３５】
このようにして、記憶手段が、車載端末から送信された情報を基に、ユーザに係る車が現在駐車されている駐車場がどの駐車場であるかを特定して記憶することにより、その駐車場が、どの施設と提携しているか等を特定することが可能になる。
【００３６】
尚、これとは異なり、ユーザが携帯端末又は車載端末を操作することによって、車を駐車している駐車場の情報を情報処理装置に送信するようにしてもよい。
【００３７】
第５〜第８の発明はそれぞれ、上記情報処理装置を制御するための情報処理プログラムに係る。
【００３８】
この内、第５の発明に係る情報処理プログラムは、上記情報処理装置に、ユーザに係る車が現在駐車されている駐車場の情報を記憶する記憶処理と、携帯端末から通信回線を介して送信された検索条件に基づいて、データベースの検索を行う検索処理と、上記検索処理による検索結果を、上記通信回線を介して携帯端末に送信する結果送信処理とを実行させると共に、上記検索処理として、上記記憶処理によって記憶されている情報に基づいて、上記ユーザに係る車が現在駐車されている駐車場と提携関係にある施設を検索対象とした上記データベースの検索を行わせるものとする。
【００３９】
第６の発明に係る情報処理プログラムは、上記情報処理装置に、上記記憶処理と、上記検索処理と、上記結果送信処理とを実行させると共に、上記結果送信処理として、上記記憶処理によって記憶されている情報に基づいて、上記検索処理による検索結果に含まれる各施設と、上記ユーザに係る車が現在駐車されている駐車場との提携関係についての情報を、上記検索結果と共に上記携帯端末に送信する処理を実行させるものとする。
【００４０】
第７の発明に係る情報処理プログラムは、上記情報処理装置に、上記記憶処理と、上記検索処理と、上記結果送信処理とを実行させると共に、上記結果送信処理として、上記検索処理による検索結果に含まれる施設を所定の並び順に設定すると共に、上記記憶処理によって記憶されている情報に基づいて、上記検索結果に含まれる施設の内で、上記ユーザに係る車が現在駐車されている駐車場と提携関係にある施設の並び位置を上位に設定して上記携帯端末に送信する処理を実行させるものとする。
【００４１】
第８の発明に係る情報処理プログラムは、上記情報処理装置に、上記記憶処理と、上記検索処理と、上記結果送信処理とを実行させると共に、上記検索処理として、上記記憶処理によって記憶されている情報に基づいて、上記ユーザに係る車が現在駐車されている駐車場から所定距離以上離れている施設を検索対象から除外して上記データベースの検索を行わせるものとする。
【００４２】
第５〜第８の発明によるとそれぞれ、第１〜第４の発明と同様の作用効果が得られる。
【００４３】
第９〜第１２の発明はそれぞれ、双方向通信可能に接続された、携帯端末と、該携帯端末を携帯するユーザに提供するための施設に関する情報が格納されたデータベースを有する情報処理装置とを用いた情報処理方法に係る。
【００４４】
この内、第９の発明に係る情報処理方法は、上記情報処理装置において、上記ユーザに係る車が現在駐車されている駐車場の情報を記憶する記憶ステップと、上記携帯端末から情報処理装置に送信された検索条件に基づいて、該情報処理装置が上記データベースの検索を行う検索ステップと、上記検索ステップにおける検索結果を、上記情報処理装置から携帯端末に送信する結果送信ステップとを有し、上記検索ステップを、上記記憶ステップにおいて記憶されている情報に基づいて、上記ユーザに係る車が現在駐車されている駐車場と提携関係にある施設を検索対象とした上記データベースの検索を行うステップとする。
【００４５】
第１０の発明に係る情報処理方法は、上記記憶ステップと、上記検索ステップと、上記結果送信ステップとを有し、上記結果送信ステップを、上記記憶ステップにおいて記憶されている情報に基づいて、上記検索ステップにおける検索結果に含まれる各施設と、上記ユーザに係る車が現在駐車されている駐車場との提携関係についての情報を、上記検索結果と共に上記携帯端末に送信するステップとする。
【００４６】
第１１の発明に係る情報処理方法は、上記記憶ステップと、上記検索ステップと、上記結果送信ステップとを有し、上記結果送信ステップを、上記検索ステップにおける検索結果に含まれる施設を所定の並び順に設定すると共に、上記記憶ステップにおいて記憶されている情報に基づいて、上記検索結果に含まれる施設の内で、上記ユーザに係る車が現在駐車されている駐車場と提携関係にある施設の並び位置を上位に設定して上記携帯端末に送信するステップとする。
【００４７】
第１２の発明に係る情報処理方法は、上記記憶ステップと、上記検索ステップと、上記結果送信ステップとを有し、上記検索ステップを、上記記憶ステップにおいて記憶されている情報に基づいて、上記ユーザに係る車が現在駐車されている駐車場から所定距離以上離れている施設を検索対象から除外して上記データベースの検索を行うステップとする。
【００４８】
第９〜第１２の発明によるとそれぞれ、第１〜第４の発明と同様の作用効果が得られる。
【００４９】
【発明の効果】
以上説明したように、本発明における情報処理装置、情報処理プログラム及び情報処理方法によれば、携帯端末からの検索条件に基づいて施設の検索を行う際に、ユーザが車を駐車している駐車場に応じて、その駐車場と提携関係にある施設を検索対象としたり、検索結果に含まれる施設と駐車場との提携関係についての情報を携帯端末に送信したり、検索結果に係り、提携施設の並び位置を上位に設定したりすることにより、ユーザの提携施設を利用したいという要求を満たすことができると共に、ユーザの利便性を向上させることができる。
【００５０】
また、携帯端末からの検索条件に基づいて施設の検索を行う際に、ユーザが車を駐車場に駐車しているときには、その駐車場から遠く離れた施設は検索対象から除外することにより、ユーザが徒歩で移動することを考慮した施設が検索されるようになるため、ユーザの利便性を向上させることができる。
【００５１】
【発明の実施の形態】
以下、本発明の実施形態を図面に基いて説明する。
【００５２】
図１は、本発明の実施形態の情報処理方法に係るシステム１を示しており、本システム１は、サーバ（情報処理装置）２１が設置された情報センタ２と、携帯端末４及び車載端末３１とが、それぞれ双方向通信可能な通信回線（インターネット５及び無線通信回線）を介して互いに接続されて構成されている。
【００５３】
上記情報センタ２は、上記サーバ２１とデータベース（ＤＢ）２２とから構成されている。このＤＢ２２には、地図情報や、例えばお店や美術館等の、施設に関する情報等の各種データが格納されている。ここで、施設に関する情報としては、その施設の種別情報、その施設の位置情報、及びその施設と提携関係にある駐車場の情報やその提携内容等の情報が含まれる。
【００５４】
また、上記ＤＢ２２には、携帯端末４のユーザに係る情報（後述するように、ユーザに係る車３の駐車場利用状況）等が、当該ユーザに予め付与されているユーザＩＤと対応付けられた状態で格納されるように構成されている。
【００５５】
そして、上記サーバ２１は、その動作中に必要に応じて、一般的な手法により、上記ＤＢ２２にアクセスすることができる。
【００５６】
上記携帯端末４は、本システム１を利用するユーザが携帯するものであり、本実施形態では携帯電話とする。尚、本システム１で利用可能な携帯端末４は携帯電話に限らず、少なくともユーザがユーザが携帯可能な端末機器であればよく、例えばＰＤＡ等の情報端末機器であってもよい。
【００５７】
上記車載端末３１は、上記ユーザに係る車３に搭載されるものであり、後述するように、車３の経路誘導を行ういわゆるナビゲーション装置としての機能を有している。
【００５８】
上記サーバ２１、携帯端末４、及び車載端末３１はそれぞれ、詳細な図示は省略するが、少なくとも、液晶表示器等からなる表示部、キーボード等のキースイッチや、マウス等のポインティング・デバイス等からなる入力部、各種の処理結果やプログラム等を記憶するＲＡＭやハードディスク等からなる記憶部、外部の装置と通信回線を介して通信するための通信部（携帯端末及び車載端末３１では、無線通信部）、及びＣＰＵ（中央演算処理装置）を備えている。このＣＰＵは、記憶部に記憶したプログラムに従って装置全体を制御する。また、表示部及び入力部は、後述するように、ユーザに対していわゆるマン・マシンインタフェースを提供する。
【００５９】
また、上記車載端末３１はさらに、車３の現在位置を検出するＧＰＳ（ＧｌｏｂａｌＰｏｓｉｔｉｏｎｉｎｇ　Ｓｙｓｔｅｍ）アンテナ（図示省略）を備えていて、ＧＰＳを利用した車３の現在地の検出を行うことが可能である。これにより、上記車載端末３１は、ユーザの操作により目的地が設定されると、その目的地までの経路を設定し、その設定した経路に基づいて車３の経路誘導を行うように構成されている。
【００６０】
また、サーバ２１、携帯端末４及び車載端末３１はそれぞれ、インターネット通信を行うことが可能な一般的な通信プロトコルのソフトウエア（ソフトウエアプログラム）、並びに、そのソフトウエアに従ってインターネット５を介してデータを送受信するインターネットブラウザ機能及びメーラ機能、並びにブラウザを描画する一般的なソフトウエアを有する。
【００６１】
上記の構成において、サーバ２１と、携帯端末４又は車載端末３１とは、後述するように、各種の情報を送受信すべく、インターネット５を介して一般的な通信手法に従って、双方向通信を行うことができる。このとき、携帯端末４及び車載端末３１は、基地局４１を介して公衆無線電話回線等も使用される。これらの通信手段自体には一般的な構成を採用するものとし、本実施形態における詳細な説明は省略する。
【００６２】
そして、上記の各ソフトウエアがＣＰＵによって適宜実行されることにより、携帯端末４又は車載端末３１がインターネット５を介してサーバ２１に接続された（ログインした）状態において、いわゆるサーバ・クライアント環境が形成される。こうして、こうして、携帯端末４又は車載端末３１の表示部には、各種画面（例えば図３、図４参照）の表示等によるマン・マシンインタフェースが提供される。この各表示画面において携帯端末４又は車載端末３１による選択操作又は入力操作を行うことにより、携帯端末４又は車載端末３１のユーザは所望する情報等を入手したりすることができる。
【００６３】
ここで、サーバ２１が携帯端末４又は車載端末３１に提供する情報の１つには、携帯端末４又は車載端末３１からの要求（検索条件）に応じてＤＢ２２の検索を行った検索結果の情報（施設の情報）がある。
【００６４】
上記携帯端末４や車載端末３１は、上記検索結果に含まれる施設の中から所望の施設を選択して、その選択した施設を目的地とした経路誘導処理が実行可能に構成されている。尚、その経路誘導処理に係る経路は、サーバ２１が携帯端末４又は車載端末３１からの要求に応じて設定するようにしてもよいし、携帯端末４又は車載端末３１自らが設定するようにしてもよい。
【００６５】
次に、本実施形態に係る情報処理方法に関して、サーバ２１、携帯端末４及び車載端末３１において実行されるソフトウエア（プログラム）について、図２に示すフローチャートを参照しながら説明する。尚、サーバ２１において実行されるプログラムは、例えばＣＤ−ＲＯＭ等の記録媒体（図示省略）に記録されることもあり、この場合は、上記サーバ２１が記録媒体に記録されたプログラムを読み込むことによって、このサーバ２１において後述する各種の処理が実行されることとなる。
【００６６】
ここでは、上記情報処理方法を、ユーザが駐車場に車３を駐車した後に、携帯端末４を操作することにより、情報センタ２に対して、施設の検索を要求する場合を例に説明する。
【００６７】
図２におけるフローチャートにおいて、ユーザが車３に乗車しているときにおいては、サーバ２１は通常の情報センタ処理を実行する（ステップＳ１１）。一方、車載端末３１は通常の車載端末処理を実行する（ステップＳ３１）。これにより、車載端末３１からの要求に応じて、サーバ２１から車載端末３１に各種の情報（例えば渋滞情報等）が提供される。また、車載端末３１においては、ユーザが設定した目的地に基づく経路誘導も適宜行われる。
【００６８】
そして、上記車載端末３１は、続くステップＳ３２において、ユーザが車３から降車したか否か（降車状態を検出したか否か）を判定する。この判定方法としては、種々の方法が考えられるが、例えば一例として車３のイグニッションスイッチのオン・オフに基づいて判定してもよい。つまり、イグニッションスイッチがオフになったときに、ユーザが車３から降車したと判定してもよい。また、降車判定は、ユーザが車載端末３１を操作することに基づいて判定してもよい。例えばユーザが車載端末３１において所定の降車操作を行ったときに、ユーザが車３から降車したと判定してもよい。また、上記イグニッションスイッチのオフ又はユーザの降車操作に加えて、例えば車３の現在地が駐車場であることを、ユーザが降車したと判定する際の前提条件としてもよい。
【００６９】
そして、車３が駐車場に到達してユーザが車３から降車したときには、ステップＳ３２の判定はＹＥＳとなり、このとき、車載端末３１は、ステップＳ３３において、降車信号とその現在地とをサーバ２１に送信する。一方、ステップＳ３２において降車していないのＮＯのときには、リターンする。
【００７０】
これに対し、上記サーバ２１は、ステップＳ１２において、降車信号を受信したか否かを判定し、受信したのＹＥＳのときには、ステップＳ１３において車３が駐車されている駐車場の情報を、ユーザＩＤと対応付けた状態でＤＢ２２に記憶し（記憶手段６１）、ステップＳ１４に移行する。このとき、サーバ２１は、車載端末３１から送信された車３の現在地の情報に基づいてその車３が駐車されている駐車場の特定を行う。尚、ここで記憶した情報は、上記車３がその駐車場から移動したときには消去される。一方、上記ステップＳ１２で降車信号を受信していないのＮＯのときには、ステップＳ１４に移行する。
【００７１】
尚、上記ステップＳ１２では、サーバ２１は、車載端末３１から送信された降車信号を受信したか否かを判定しているが、これに代えて、例えばユーザが携帯端末４において所定操作をすることにより、この携帯端末４から送信された降車信号を受信したか否かを判定してもよい。また、ステップＳ１２においては、車載端末３１がサーバ２１からログアウトしかつ、携帯端末４がサーバ２１にログインしたか否かを判定するようにしてもよい。これらの判定を行っても、ユーザが車３から降車したか否かを判定可能になる。
【００７２】
また、上記ステップＳ３３では、車載端末３１は、サーバ２１に対して降車信号と車３の現在地の情報とを送信するようにしているが、車３の現在地の情報を送信する代わりに、その駐車場を特定する駐車場ＩＤを送信するようにしてもよい。この駐車場ＩＤは、例えば車載端末３１における経路誘導の目的地として駐車場が設定されたときに、例えばサーバ２１から取得するようにしてもよい。
【００７３】
また、上記ステップＳ３３では、上記車載端末３１は、例えば車載端末３１において設定されている目的地情報をサーバ２１に送信してもよい。この場合は、目的地情報を受信したサーバ２１が、その情報に基づいて車３が駐車されている駐車場を特定するようにする。さらに、上記ステップＳ３３では、上記目的地情報に代えて、車載端末３１の経路誘導の履歴情報をサーバ２１に送信するようにしてもよい。この場合は、履歴情報を受信したサーバ２１は、その履歴情報に基づいて車３の最終到達地点を特定し、それにより、上記車３が現在駐車されている駐車場を特定した上で、その駐車場の情報をＤＢ２２に記憶するようにすればよい。
【００７４】
そして、上記サーバ２１は、ステップＳ１４では、通常の情報センタ処理を実行する一方、携帯端末４は、ステップＳ２１で、通常の携帯端末処理を実行する。これにより、例えば携帯端末４からの要求に応じて、サーバ２１から携帯端末４に各種情報が提供される。
【００７５】
続くステップＳ２２で、携帯端末４は、検索要求操作があったか否かを判定する。この検索要求操作は、具体的には、携帯端末４の表示部に表示された検索条件設定画面Ａ１（図３参照）における操作によって行われる。
【００７６】
上記検索条件設定画面Ａ１は、検索条件を設定すると共に、検索条件及び検索要求信号をサーバ２１に送信するための画面である。この設定画面Ａ１では、検索条件として、ジャンルに関する条件と、場所に関する条件とを設定することが可能に構成されている。ユーザは、ジャンルに関する条件を、上位カテゴリから下位カテゴリの順に、各カテゴリに設けられた選択肢から所望の選択肢を選択することによって設定するように構成されている。具体的に、最上位のカテゴリには、例えば「食べる」「泊まる」「遊ぶ」等の選択肢が設けられており、図例では、「食べる」が選択されている。また、「食べる」を選択した場合、次のカテゴリには「和食」「洋食」「中華」等の選択肢が設定されており、図例では「洋食」が選択されている。さらに、「洋食」を選択した場合、次のカテゴリには「イタリア料理」「フランス料理」等の選択肢が設けられる。この各カテゴリにおける各選択肢には、チェックボックスが設けられ、携帯端末４の操作により、ユーザは、チェックボックスにチェックを付すことで所望の選択肢の選択を行うことが可能である。尚、上記検索条件設定画面には、「下位カテゴリ」の操作ボタンが設けられており、このボタンを選択操作したときには、更に下位のカテゴリにおける選択肢の選択操作が可能に構成される。
【００７７】
一方、上記検索条件設定画面Ａ１では、ユーザは、場所に関する条件として、「現在地から所定距離範囲」「駐車場から所定距離範囲」「駐車場の提携施設限定」の３つの条件を設定可能に構成されている。
【００７８】
この内、「現在地から所定距離範囲」とは、携帯端末４の現在地を中心として、所定距離（図例では１０００ｍ）以内に位置する施設を検索対象とするものである。また、「駐車場から所定距離範囲」とは、車３を駐車している駐車場を中心として、所定距離以内に位置する施設を検索対象とするものである。
【００７９】
ここで、上記所定距離は、任意に設定することが可能であるが、ユーザは車３を駐車場に駐車しているため、徒歩で移動をすることになる。そこで、上記所定距離は、徒歩により移動可能な程度の距離に制限することが好ましい。具体的には、距離の上限を、数ｋｍ（１〜３ｋｍ）程度に設定すればよい。
【００８０】
さらに、「駐車場の提携施設限定」とは、車３を駐車している駐車場と提携関係にある施設を検索対象とするものである。
【００８１】
これら３つの条件にはそれぞれチェックボックスが設けられており、ユーザは、携帯端末４の操作によってチェックボックスにチェックを付すことで、所望の条件の設定をすることが可能である。図例では、「現在地から所定距離範囲」及び「駐車場から所定距離範囲」にチェックが付されていて、「駐車場の提携施設限定」にはチェックが付されていない。これにより、検索対象は、現在地から所定距離範囲でかつ、駐車場から所定距離範囲に存在する施設となる。
【００８２】
尚、上記検索条件設定画面Ａ１における「駐車場から所定距離範囲」及び「駐車場の提携施設限定」の各条件については、車３が駐車場に駐車されているときにのみ、上記設定画面Ａ１に表示されるようにしてもよい。
【００８３】
こうして、上記検索条件設定画面Ａ１において検索条件を設定した後に、この設定画面Ａ１に設けられた「ＯＫ」ボタンを選択操作したときには、図２のフローチャートにおけるステップＳ２２の判定がＹＥＳとなり、ステップＳ２３に移行して、携帯端末４は、検索要求信号と検索条件とを上記サーバ２１に送信する。一方、「ＯＫ」ボタンを選択操作していないときには、ステップＳ２４に移行する。
【００８４】
これに対し、上記サーバ２１は、ステップＳ１５において検索要求信号を受信したか否かを判定して、受信していないときにはリターンする一方、受信したときにはステップＳ１６に移行する。
【００８５】
上記ステップＳ１６では、サーバ２１は、ＤＢ２２から、検索要求信号を送信したユーザに係る車３が駐車されている駐車場の情報を読み出し、ステップＳ１７において、上記受信した検索条件に基づいて、上記ＤＢ２２の検索を行う（検索手段６２）。
【００８６】
具体的に、上記検索条件設定画面Ａ１において、例えば「現在地から所定距離範囲」の条件にのみチェックが付されているときには、携帯端末４の現在地を中心とした所定距離以内に位置する施設を検索対象として、ジャンルに関して設定された条件に基づいて検索が実行される。
【００８７】
また、例えば「現在地から所定距離範囲」と「駐車場から所定距離範囲」との条件にそれぞれチェックが付されているときには、携帯端末４の現在地を中心とした所定距離以内に位置する施設であってかつ、車３が駐車されている駐車場を中心とした所定距離以内に位置する施設を検索対象として、ジャンルに関して設定された条件に基づいて検索が実行される。
【００８８】
さらに、例えば「駐車場の提携施設限定」の条件にチェックが付されているときには、車３が駐車されている駐車場と提携関係にある施設を検索対象として、ジャンルに関して設定された条件に基づいて検索が実行される。
【００８９】
こうして検索を実行すれば、続くステップＳ１８で、その検索結果を携帯端末４に送信する（結果送信手段６３）。
【００９０】
上記携帯端末４は、ステップＳ２４で、検索結果を受信したか否かを判定し、受信したのＹＥＳのときには、ステップＳ２５で、図４に一例を示す検索結果表示画面Ａ２を、表示部に表示する。
【００９１】
この検索結果表示画面Ａ２には、上記検索条件設定画面Ａ１において設定した検索条件と、その検索結果とが含まれており、検索結果に含まれる施設の名称がサーバ２１によって設定された所定の並び順に並んで表示されている。
【００９２】
また、上記検索結果に係る各施設の内で、車３を駐車している駐車場と提携関係にある施設（図例では、「○○亭」「パスタ△△」）については「駐車場提携」の操作ボタンが設けられている。また、この駐車場と提携関係にある施設は、並び順の上位に設定されている。
【００９３】
ここで、ユーザが「駐車場提携」ボタンを選択操作したときには、そのボタンに対応する施設と車３を駐車している駐車場との提携内容が、携帯端末４の表示部に表示される。
【００９４】
さらに、上記検索結果に含まれる各施設毎に、「詳細」「地図確認」「経路誘導」の各操作ボタンが設けられており、この内、ユーザが「詳細」ボタンを選択操作したときには、そのボタンに対応する施設についての詳細な情報が、サーバ２１から携帯端末４に提供されて、これが携帯端末４の表示部に表示される。また、ユーザが「地図確認」ボタンを選択操作したときには、そのボタンに対応する施設の所在地を示す地図情報が、サーバ２１から携帯端末４に提供されて、これが携帯端末４の表示部に表示される。さらに、ユーザが「経路誘導」ボタンを選択操作したときには、サーバ２１において携帯端末４の現在地（ユーザの現在地）から、そのボタンに対応する施設までの経路が設定され、その経路情報が、サーバ２１から携帯端末４に提供される（ステップＳ２５）。そして、経路情報を受信した携帯端末４は、その経路を示す地図を表示部に表示することにより、経路誘導を行う。
【００９５】
こうして、本実施形態においては、ユーザが車３を駐車場に駐車したときには、ＤＢ２２にその駐車場の情報が記憶され、携帯端末４からサーバ２１に対して、施設の検索が要求されたときには、上記車３を駐車している駐車場を考慮した検索が行われる。
【００９６】
つまり、上記サーバ２１は、ユーザからの要求に応じて、当該駐車場と提携関係にある施設を検索対象に設定したＤＢ２２の検索を行う。この場合は、その検索結果に係る施設は全て、ユーザが車３を駐車している駐車場と提携関係にある施設（提携施設）となるため、ユーザが利用したいと考える施設の情報がユーザに提供されて、ユーザの要求が満たされると共に、ユーザの利便性を向上することができる。
【００９７】
また、上記サーバ２１は、ユーザからの要求に応じて、当該駐車場から所定距離以上離れた施設を検索対象から除外したＤＢ２２の検索を行う。この場合は、その検索結果に含まれる各施設と駐車場との間の距離は、上記所定距離よりも短くなるため、ユーザは、上記各施設と駐車場との間を徒歩で移動することが可能になる。ユーザは、車３を駐車場に駐車しているときには、いずれは駐車場に駐車している車３を取りに戻らねばならないが、施設の検索を行うときに、駐車場から所定距離以上離れている施設は検索対象から予め除外しておくことにより、駐車場まで徒歩で移動することができないような施設が検索されることを未然に防止することができる。その結果、ユーザの利便性を向上させることができる。
【００９８】
また、サーバ２１から携帯端末４に提供される検索結果表示画面Ａ２では、駐車場と提携している施設については、「駐車場提携」として、その旨の表示がされる。またこれと共に、その提携施設の表示順が上位に設定される。
【００９９】
これにより、ユーザは、検索条件に含まれる施設の内、どの施設が、現在車３を駐車している駐車場と提携している施設であるかを認識することが可能になる。また、提携施設の並び位置を上位に設定することにより、ユーザが要求している提携施設についての情報がユーザに的確に伝えられ、ユーザは提携施設のことをより一層認識し易くなる。
【０１００】
その結果、ユーザの要求が満たされると共に、ユーザの利便性を向上させることができる。
【図面の簡単な説明】
【図１】本発明の実施形態に係るシステムの構成を示すブロック図である。
【図２】サーバ、携帯端末及び車載端末における処理を示すフローチャートである。
【図３】携帯端末に表示される検索条件設定画面の一例を示す図である。
【図４】携帯端末に表示される検索結果表示画面の一例を示す図である。
【符号の説明】
１　　　　　　　　　　　システム
２１　　　　　　　　　サーバ（情報処理装置）
２２　　　　　　　　　データベース（ＤＢ）
３１　　　　　　　　　車載端末
４　　　　　　　　　　　携帯端末
５　　　　　　　　　　　インターネット（通信回線）
５１　　　　　　　　　基地局
６１　　　　　記憶手段
６２　　　　　検索手段
６３　　　　　結果送信手段
【図１】
2004015369.tif 000003
【図２】
2004015369.tif 000004
【図３】
2004015369.tif 000005
【図４】
2004015369.tif 000006